(57)【要約】【課題】  既存のメモリーカードが持つＦＡＴファイルシステム機能を保持しつつ、秘匿性の高いデータをメモリーカードに安全に格納する。【解決手段】  半導体メモリー４２のデータ領域３０内に、ＦＡＴファイルシステム用の管理領域３３〜３６を設けるとともに、ＦＡＴファイルシステムとは異なる専用ファイルシステムのデータを格納した専用データ領域３１と、専用データ領域３１へのアクセス方法を示す専用ファイルシステム管理領域３２とを設け、ＦＡＴファイルシステム用の管理領域３３〜３６中の情報に基づいて再生されるデータを、専用ファイルシステム管理領域３２中の情報に基づいて専用データ領域３１から再生されるデータとは異なるデータとする。【選択図】  図３
2006059261.tif 000002
【特許請求の範囲】
【請求項１】
半導体メモリーのデータ領域内に、ＦＡＴファイルシステム用の管理領域を有するとともに、ＦＡＴファイルシステムとは異なる専用ファイルシステムのデータを格納した専用データ領域と、前記専用データ領域へのアクセス方法を示す専用ファイルシステム管理領域とを有し、
前記ＦＡＴファイルシステム用の管理領域中の情報に基づいて再生されるデータが、前記専用ファイルシステム管理領域中の情報に基づいて前記専用データ領域から再生されるデータとは異なるデータであることを特徴とするメモリーカード。
【請求項２】
請求項１に記載のメモリーカードにおいて、
前記ＦＡＴファイルシステム用の管理領域中の情報に基づいて再生されるデータが、前記専用ファイルシステム管理領域中の情報に基づいて前記専用データ領域から再生されるデータの配列を変更したデータであることを特徴とするメモリーカード。
【請求項３】
請求項１に記載のメモリーカードにおいて、
前記半導体メモリーのシステム領域内に、専用ファイルシステム管理領域へのアクセス方法を示す専用ファイル用領域を有することを特徴とするメモリーカード。
【請求項４】
半導体メモリーのデータ領域内に、ＦＡＴファイルシステム用の管理領域を有するとともに、ＦＡＴファイルシステムとは異なる専用ファイルシステムのデータを格納した専用データ領域と、前記専用データ領域へのアクセス方法を示す専用ファイルシステム管理領域とを有し、前記ＦＡＴファイルシステム用の管理領域中の情報に基づいて再生されるデータが、前記専用ファイルシステム管理領域中の情報に基づいて前記専用データ領域から再生されるデータとは異なるデータであるメモリーカードからデータを再生する再生装置において、
前記データ領域内の前記専用ファイルシステム管理領域にアクセスする第１の処理と、
前記専用ファイルシステム管理領域が示すアクセス方法によって前記専用データ領域にアクセスしてデータを再生する第２の処理と
を行う処理手段を備えたことを特徴とする再生装置。
【請求項５】
請求項４に記載の再生装置において、
前記メモリーカードは、前記半導体メモリーのシステム領域内に、専用ファイルシステム管理領域へのアクセス方法を示す専用ファイル用領域を有しており、
前記第１の処理では、前記システム領域内の前記専用ファイル用領域にアクセスした後、前記専用ファイル用領域が示すアクセス方法によって前記データ領域内の前記専用ファイルシステム管理領域にアクセスすることを特徴とする再生装置。
【発明の詳細な説明】
【技術分野】
【０００１】
本発明は、秘匿性の高いデータを格納するためのメモリーカード、及び、そのメモリーカードからデータを再生する専用の再生装置に関する。
【背景技術】
【０００２】
半導体メモリーを用いたカード型の外部記憶装置であるメモリーカードとして、メモリースティック（商標）等が普及している。こうしたメモリーカードでは、データを管理するためのファイルシステムとしてＦＡＴ（File Allocation Tables ）ファイルシステムを採用するのが一般である（例えば、特許文献１参照）。これは、メモリーカードに格納したデータを、Ｗｉｎｄｏｗｓ（登録商標）等のＯＳを搭載した一般的なシステムで容易に扱えるようにすることを目的としたものである。
【特許文献１】特開２００２−３７３３１４号公報（段落番号００２０、図４）
【発明の開示】
【発明が解決しようとする課題】
【０００３】
しかし、その反面、こうしたメモリーカードでは、秘匿性の高いデータ（例えば試験問題や個人情報等）を格納した場合にも、そのデータが容易に再生されて漏洩したり、不正な複製が容易に行われてしまうことになる。したがって、既存のメモリーカードは、秘匿性の高いデータを格納することには適していない。
【０００４】
本発明は、上記のような問題を解決し、既存のメモリーカードが持つＦＡＴファイルシステム機能を保持しつつ、秘匿性の高いデータをメモリーカードに安全に格納することを課題としてなされたものである。
【課題を解決するための手段】
【０００５】
この課題を解決するために、本発明に係るメモリーカードは、半導体メモリーのデータ領域内に、ＦＡＴファイルシステム用の管理領域を有するとともに、ＦＡＴファイルシステムとは異なる専用ファイルシステムのデータを格納した専用データ領域と、この専用データ領域へのアクセス方法を示す専用ファイルシステム管理領域とを有し、このＦＡＴファイルシステム用の管理領域中の情報に基づいて再生されるデータが、この専用ファイルシステム管理領域中の情報に基づいてこの専用データ領域から再生されるデータとは異なるデータであることを特徴とする。
【０００６】
このメモリーカードは、半導体メモリー内のデータ領域に、ＦＡＴファイルシステムとは異なる専用ファイルシステムのデータを格納した専用データ領域と、この専用データ領域へのアクセス方法を示す専用ファイルシステム管理領域とを有している。
【０００７】
したがって、‘専用ファイルシステム管理領域へのアクセス’→‘その管理領域が示すアクセス方法による専用データ領域へのアクセス’という手順の専用ファイルシステムによって、専用データ領域からデータを再生することができる。
【０００８】
他方、データ領域にはＦＡＴファイルシステム用の管理領域も存在するので、ＦＡＴファイルシステムによってもデータを再生することができる。但し、ＦＡＴファイルシステム用の管理領域中の情報に基づいて再生されるデータは、専用ファイルシステム管理領域中の情報に基づいて専用データ領域から再生されるデータとは異なるデータになっている。したがって、Ｗｉｎｄｏｗｓ（登録商標）等のＯＳを搭載した一般的なシステムでこのメモリーカードからデータを再生しても、本来のデータとは異なったデータとして認識されるので、本来のデータが漏洩することはない。
【０００９】
このように、このメモリーカードによれば、ＦＡＴファイルシステムを使用している既存のメモリーカードに、ＦＡＴファイルシステムとは互換性のない専用ファイルシステムのみによって再生可能なデータ形式でデータを格納することができる。これにより、既存のメモリーカードが持つＦＡＴファイルシステム機能を保持しつつ、秘匿性の高いデータをメモリーカードに安全に格納することができる。
【００１０】
なお、ＦＡＴファイルシステム用の管理領域中の情報に基づいて再生されるデータは、一例として、専用ファイルシステム管理領域中の情報に基づいて専用データ領域から再生されるデータの配列を変更したデータとすることが好適である。
【００１１】
それにより、専用データ領域以外にデータを格納する領域を追加することなく、ＦＡＴファイルシステムによって再生されるデータを、専用ファイルシステムによって再生されるデータとは異なるデータとすることができるようになる。
【００１２】
また、このメモリーカードにおいて、一例として、半導体メモリーのシステム領域内に、専用ファイルシステム管理領域へのアクセス方法を示す専用ファイル用領域を設けることが好適である。
【００１３】
それにより、ＦＡＴファイルシステムによってこのメモリーカードのデータ領域から再生したデータを別のメモリーカードに不正に複製し、その別のメモリーカードから専用ファイルシステムによってデータを再生しようとした場合、専用ファイル用領域が含まれていないので、専用ファイルシステム管理領域にアクセスできず、その結果専用データ領域にアクセスしてデータを再生することができないようになる。したがって、このメモリーカードの不正な複製を防止することができるので、秘匿性の高いデータをより一層安全に格納することができるようになる。
【００１４】
次に、本発明に係る再生装置は、半導体メモリーのデータ領域内に、ＦＡＴファイルシステム用の管理領域を有するとともに、ＦＡＴファイルシステムとは異なる専用ファイルシステムのデータを格納した専用データ領域と、この専用データ領域へのアクセス方法を示す専用ファイルシステム管理領域とを有し、このＦＡＴファイルシステム用の管理領域中の情報に基づいて再生されるデータが、この専用ファイルシステム管理領域中の情報に基づいてこの専用データ領域から再生されるデータとは異なるデータであるメモリーカードからデータを再生する再生装置において、データ領域内のこの専用ファイルシステム管理領域にアクセスする第１の処理と、この専用ファイルシステム管理領域が示すアクセス方法によってこの専用データ領域にアクセスしてデータを再生する第２の処理を行う処理手段を備えたことを特徴とする。
【００１５】
この再生装置によれば、前述の本発明に係るメモリーカードに格納したデータを、専用ファイルシステムによって再生することができる。
【００１６】
なお、このメモリーカードが、半導体メモリーのシステム領域内に、専用ファイルシステム管理領域へのアクセス方法を示す専用ファイル用領域を有するものである場合には、第１の処理では、システム領域内の専用ファイル用領域にアクセスした後、専用ファイル用領域が示すアクセス方法によってデータ領域内の専用ファイルシステム管理領域にアクセスすることが好適である。
【発明の効果】
【００１７】
本発明に係るメモリーカードによれば、ＦＡＴファイルシステムを使用している既存のメモリーカードに、ＦＡＴファイルシステムとは互換性のない専用ファイルシステムのみによって再生可能なデータ形式でデータを格納することができる。これにより、既存のメモリーカードが持つＦＡＴファイルシステム機能を保持しつつ、秘匿性の高いデータをメモリーカードに安全に格納できるという効果が得られる。
【００１８】
また、システム領域内に、専用ファイルシステム管理領域へのアクセス方法を示す専用ファイル用領域を設けることにより、不正な複製を防止することができるので、秘匿性の高いデータをより一層安全に格納することができるという効果が得られる。
【００１９】
本発明に係る再生装置によれば、本発明に係るメモリーカードに格納したデータを専用ファイルシステムによって再生できるという効果が得られる。
【発明を実施するための最良の形態】
【００２０】
以下、本発明を図面を用いて具体的に説明する。なお、以下では、語学のヒヤリング試験用の問題（単語等を発音した音声データ）を格納したメモリースティックと、このメモリースティックから試験問題を再生する専用のプレーヤーとに本発明を適用した例について説明する。
【００２１】
図１は、本発明を適用したメモリースティックの回路構成例を示すブロック図である。メモリースティック１は、コントロールブロック４１とフラッシュメモリー４２が１チップＩＣとして構成されたものである。メモリースティック１と外部のシステムとの間の双方向シリアルインタフェースは、１０本の線から成る。主要な４本の線は、データ伝送時にクロックを伝送するためのクロック線ＳＣＫと、ステータスを伝送するためのステータス線ＳＢＳと、データを伝送するデータ線ＤＩＯ、インターラプト線ＩＮＴとである。その他に電源供給用線として、２本のＧＮＤ線および２本のＶＣＣ線が設けられる。２本の線Ｒｅｓｅｒｖは、未定義の線である。
【００２２】
クロック線ＳＣＫは、データに同期したクロックを伝送するための線である。ステータス線ＳＢＳは、メモリーカード４０のステータスを表す信号を伝送するための線である。データ線ＤＩＯは、コマンドおよび暗号化されたオーディオデータを入出力するための線である。インターラプト線ＩＮＴは、メモリーカード４０からレコーダ１のＣＰＵ２に対しての割り込みを要求するインターラプト信号を伝送する線である。
【００２３】
コントロールブロック４１のシリアル／パラレル変換・パラレル／シリアル変換・インタフェースブロック（Ｓ／Ｐ，Ｐ／Ｓ，ＩＦブロックと略す）４３は、上述した複数の線を介して接続された外部のシステムとコントロールブロック４１とのインタフェースである。Ｓ／Ｐ，Ｐ／Ｓ，ＩＦブロック４３は、外部のシステムから受け取ったシリアルデータをパラレルデータに変換し、コントロールブロック４１に取り込み、コントロールブロック４１からのパラレルデータをシリアルデータに変換して外部のシステムに送る。
【００２４】
データ線ＤＩＯを介して伝送されるフォーマットでは、最初にコマンドが伝送され、その後にデータが伝送される。Ｓ／Ｐ，Ｐ／Ｓ，ＩＦブロック４３は、コマンドをコマンドレジスタ４４に格納し、データをページバッファ４５およびライトレジスタ４６に格納する。ライトレジスタ４６と関連してエラー訂正符号化回路４７が設けられている。ページバッファ４５に一時的に蓄えられたデータに対して、エラー訂正符号化回路４７がエラー訂正符号の冗長コードを生成する。
【００２５】
コマンドレジスタ４４、ページバッファ４５、ライトレジスタ４６およびエラー訂正符号化回路４７の出力データがフラッシュメモリーインタフェースおよびシーケンサ（メモリーＩ／Ｆ，シーケンサと略す）５１に供給される。メモリーＩＦ，シーケンサ５１は、コントロールブロック４１とフラッシュメモリー４２とのインタフェースであり、両者の間のデータのやり取りを制御する。メモリーＩＦ，シーケンサ５１を介してデータがフラッシュメモリー４２に書き込まれる。
【００２６】
フラッシュメモリー４２から読み出されたデータは、メモリーＩＦ，シーケンサ５１を介してページバッファ４５、リードレジスタ４８、エラー訂正回路４９に供給される。ページバッファ４５に記憶されたデータがエラー訂正回路４９によってエラー訂正がなされる。エラー訂正がされたページバッファ４５の出力およびリードレジスタ４８の出力がＳ／Ｐ，Ｐ／Ｓ，ＩＦブロック４３に供給され、上述した双方向シリアルインタフェースを介して外部のシステムに供給される。
【００２７】
コンフィグレーションＲＯＭ５０には、メモリースティック１のバージョン情報、各種の属性情報等が格納されている。スイッチ６０は、ユーザーが必要に応じて操作可能な誤消去防止用のスイッチであり、このスイッチ６０が消去禁止の接続状態にある場合には、フラッシュメモリー４２の消去を指示するコマンドが外部のシステムから送られても消去が禁止される。発振器６１は、メモリーカード４０の処理のタイミング基準となるクロックを発生する。
【００２８】
図２は、本発明を適用したプレーヤーの回路構成例を示すブロック図である。このプレーヤー１１は、図１のメモリースティック１を着脱可能に装着して試験問題を再生する専用の装置である。プレーヤー１１には、インタフェースブロック１２と、操作部１４と、マイクロコンピュータから成るコントローラ１５と、デコーダ１６と、Ｄ／Ａ変換器１７と、イヤホン端子１８とが設けられている。インタフェースブロック１２は、上述した双方向シリアルインタフェースの複数の線を介して接続されたメモリースティック１とのインタフェースである。インタフェース１２，操作部１４，コントローラ１５及びデコーダ１７は、バス１３に接続されている。
【００２９】
操作部１４は、プレーヤー１１の筐体表面に設けられており、メモリースティック１から試験問題を１問ずつ再生するための再生釦を含んでいる。コントローラ１５は、この再生釦の操作に基づき、メモリースティック１にコマンドを送ることによって後出の図３に示すような処理を実行する。
【００３０】
メモリースティック１からインタフェースブロック１２に入力したデータは、インタフェースブロック１２からバス１３を介してデコーダ１６に送られる。デコーダ１６は、例えばＡＴＲＡＣ３（Adaptive TRansformAcoustic Coding ３）のような圧縮方式で圧縮されている音声データを復号する処理を行う。デコーダ１６で復号された音声データは、Ｄ／Ａ変換器１７でアナログ音声信号に変換されて、イヤホン端子１８から出力される。
【００３１】
図３は、メモリースティック１のフラッシュメモリー４２の物理フォーマットを示す。フラッシュメモリー４２の領域は、システム領域２０とデータ領域３０とに分かれている。システム領域２０には、個々のフラッシュメモリー４２に固有の情報を格納した固有情報領域（Boot Block）２１と、専用ファイル用領域２２とが設けられている。専用ファイル用領域２２は、Boot Block２１とは別の領域であり、ＦＡＴファイルシステムによってアクセスすることはできない。
【００３２】
データ領域３０には、専用データ領域３１及び専用ファイルシステム管理領域３２が設けられている。図４は、専用データ領域３１及び専用ファイルシステム管理領域３２の詳細を示す図である。専用データ領域３１には、Ｎ問の試験問題（音声データ）が、ファイル３１（１）〜３１（Ｎ）のデータとして、例えばＡＴＲＡＣ３のような圧縮方式で圧縮されて格納されている。１つ１つのファイル３１（１）〜３１（Ｎ）のデータは、データの再生順番に従って、物理的に連続した（セクタ番号が連続した）領域に格納されている。１セクタのサイズは、５１２バイトである。
【００３３】
専用ファイルシステム管理領域３２には、ヘッダ情報の領域３２ａと、ファイル情報の領域３２ｂと、ファイル拡張情報の領域３２ｃとが含まれる。ヘッダ情報領域３２ａには、ファイル情報領域３２ｂ，ファイル拡張情報３２ｃ内の情報へのオフセットやバージョン情報等が格納されている。
【００３４】
ファイル情報領域３２ｂには、専用データ領域３１内の個々のファイル３１（１）〜３１（Ｎ）毎に、データ開始セクタ番号，ファイルサイズ，ファイル名等の、ファイルのアクセスに必要な情報が格納されている。
【００３５】
ファイル拡張情報領域３２ｃには、専用データ領域３１内の個々のファイル３１（１）〜３１（Ｎ）毎に、そのファイルに対するコマンド（図２のプレーヤー１１がそのファイルに対して行う操作の情報）が格納されている。
【００３６】
なお、専用データ領域３１及び専用ファイルシステム管理領域３２には、ファイルサイズがゼロで、ファイル拡張情報領域３２ｃにファイルに対するコマンドのみを格納したファイルを作成することも可能であり、そのファイルについては、データは再生されず、ファイル拡張情報領域３２ｃに格納したコマンドのみが実行される。
【００３７】
図３のシステム領域２０内の専用ファイル用領域２２は、この専用ファイルシステム管理領域３２へのアクセス方法を示す情報として、専用ファイルシステム管理領域３２のセクタ番号の情報を格納した領域である。なお、図２のプレーヤー１１のコントローラ１５内のメモリーには、この専用ファイル用領域２２のセクタ番号の情報が予め格納されている。
【００３８】
データ領域３０には、ＦＡＴファイルシステム用の管理領域として、ブート領域３３，ＦＡＴ３４，ルートディレクトリ３５及びその下のフォルダ（ここでは「Ａ」という１つのフォルダのみ）の領域３６が設けられている。フォルダ「Ａ」内の各ファイル（ここでは「Ａ」〜「Ｅ」という５つのファイルとする）の領域としては、前述の専用データ領域３１及び専用ファイルシステム管理領域３２が割り当てられている。
【００３９】
フォルダ領域３６には、各ファイル「Ａ」〜「Ｅ」についての開始クラスタ及びサイズの情報が格納されているが、これらの開始クラスタは、図にも矢印で描いているように、専用データ領域３１中のファイル３１（１）〜３１（Ｎ）のデータ配列とは無関係に、専用データ領域３１または専用ファイルシステム管理領域３２中の適宜の位置のクラスタになっている。１クラスタのサイズは、１６Ｋバイトである。
【００４０】
また、ＦＡＴ３４には、各ファイル「Ａ」〜「Ｅ」についての開始クラスタに続く各クラスタのクラスタ番号の情報が格納されているが、これらのクラスタも、専用データ領域３１中のファイル３１（１）〜３１（Ｎ）のデータ配列とは無関係に、専用データ領域３１または専用ファイルシステム管理領域３２中の適宜の位置のクラスタになっている。
【００４１】
したがって、ＦＡＴファイルシステム用の管理領域中の情報に基づいて読み出されるデータは、専用データ領域３１中のデータ（本来の試験問題の音声データ）の配列を変更したデータとなるようにされている。
【００４２】
図５は、図２のプレーヤー１１のコントローラ１５が、操作部１４の再生釦の操作に基づき、メモリースティック１のコントロールブロック４１を制御して実行する処理を示すフローチャートである。この処理では、最初に、フラッシュメモリー４２のシステム領域２０内の専用ファイル用領域２２（図３）にアクセスして、この専用ファイル用領域２２中の情報を読み出す（ステップＳ１）。
【００４３】
そして、データ領域３０内の専用ファイルシステム管理領域３２（図３）のセクタ番号の情報を取得し、その情報に基づいて専用ファイルシステム管理領域３２にアクセスして、専用データ領域３１（図３）中の最初のファイル３１（１）についての情報を読み出す（ステップＳ２）。
【００４４】
続いて、読み出した情報が、今回の読出し対象のファイル３１（Ｘ）（Ｘ問目の試験問題）についてのものであるか否かを判断する（ステップＳ３）。ノーであれば、次のファイル３１（２），３１（３），…についての情報を１つずつ読み出しながら（ステップＳ４）、ステップＳ３の判断を繰り返す。
【００４５】
そしてイエスになると、読出し対象のファイル３１（Ｘ）のデータについての開始セクタ及びサイズの情報を取得し（ステップＳ５）、専用データ領域３１内のその開始セクタからそのサイズ分だけ連続したデータを読み出すことによってファイル３１（Ｘ）のデータを読み出す（ステップＳ６）。そして処理を終了する。
【００４６】
このようにしてフラッシュメモリー４２から読み出されたファイル３１（Ｘ）のデータは、前述のように、メモリースティック１からプレーヤー１１に供給され、プレーヤー１１のイヤホン端子１８から音声信号として出力される。したがって、ヒヤリング試験の受験者は、それぞれプレーヤー１１を１台ずつ使用することにより、メモリースティック１から試験問題を再生して試験を受けることができる。
【００４７】
次に、プレーヤー１１を使用することなく、ＦＡＴファイルシステムによってメモリースティック１からデータを再生する様子について説明する。図６は、ＦＡＴファイルシステムによるメモリースティック１からのデータの再生処理を示すフローチャートである。この処理では、最初に、データ領域３０内のブート領域３３，ＦＡＴ３４及びルートディレクトリ３５を読み出すことにより、メモリースティック１を、ＦＡＴファイルシステムによるフォーマット済みのメモリースティックであると認識する（ステップＳ１１）。
【００４８】
続いて、読出し対象となるフォルダ（ここでは図３のフォルダ「Ａ」）についての情報を読み出したか否かの判断を、ルートディレクトリ３５からフォルダについての情報を１つずつ読み出しながら繰り返す（ステップＳ１２，Ｓ１３）。
【００４９】
イエスになると、フォルダ領域３６にアクセスし、読出し対象となるファイル（ここでは図３のファイル「Ａ」とする）についての情報を読み出したか否かの判断を、フォルダ領域３６から各ファイル「Ａ」〜「Ｅ」についての情報を１つずつ読み出しながら繰り返す（ステップＳ１４〜Ｓ１６）。
【００５０】
イエスになると、ファイル「Ａ」についての開始クラスタ及びサイズの情報を取得して（ステップＳ１７）、取得したクラスタの情報に基づいて１クラスタ分のデータを読み出す（ステップＳ１８）。続いて、取得したサイズの情報に基づき、ファイル「Ａ」の読出しを完了したか否かを判断する（ステップＳ１９）。
【００５１】
ノーであれば、ＦＡＴ３４からファイル「Ａ」についての次のクラスタ番号の情報を１つずつ取得して（ステップＳ２０）、ステップＳ１８の処理及びステップＳ１９の判断を繰り返す。そしてイエスになると、処理を終了する。
【００５２】
このようにして、メモリースティック１からは、ＦＡＴファイルシステムによってもデータを再生することができる。但し、前述のように、各フォルダ内のファイルの開始クラスタやそれに続く各クラスタが、専用データ領域３１中のファイル３１（１）〜３１（Ｎ）のデータ配列とは無関係に、専用データ領域３１または専用ファイルシステム管理領域３２中の適宜の位置のクラスタになっていることから、ＦＡＴファイルシステムによって再生されるデータは、専用データ領域３１中のデータ（本来の試験問題の音声データ）の配列を変更したデータとなる。
【００５３】
したがって、Ｗｉｎｄｏｗｓ（登録商標）等のＯＳを搭載した一般的なシステムでメモリーカード１から試験問題を再生しても、試験問題の音声データとは異なったでたらめな音声データとして認識されるので、試験問題が漏洩することはない。
【００５４】
なお、メモリースティック１のデータ領域３０には、ブート領域３３，ＦＡＴ３４，ルートディレクトリ３５及びフォルダ領域３６といったＦＡＴファイルシステム用の管理領域が設けられているが、仮に、図７に示すようにこれらのＦＡＴファイルシステム用の管理領域をデータ領域３０に設けなかった（データ領域３０に専用データ領域３１及び専用ファイルシステム管理領域３２のみを設けた）とした場合の、ＦＡＴファイルシステムによるデータの再生処理の様子を示すと、図８のようになる。
【００５５】
この処理では、最初にデータ領域３０内の専用データ領域３１または専用ファイルシステム管理領域３２を読み出すが（ステップＳ２１）、その領域がブート領域ではないので（ステップＳ２２）ＦＡＴファイルシステムによるフォーマット済みのメモリースティックとして認識できず（ステップＳ２３）、処理を終了することになる。
【００５６】
しかし、このようにＦＡＴファイルシステムによるフォーマット済みのメモリースティックとして認識されないと、却って、秘匿性の高いデータが特別な方法で格納されている可能性を示唆するものとなってしまう。
【００５７】
これに対し、このメモリースティック１によれば、メモリースティックに、ＦＡＴファイルシステムとは互換性のない専用ファイルシステムのみによって再生可能なデータ形式で試験問題を格納した上で、ＦＡＴファイルシステムによるフォーマット済みのメモリースティックとしても認識可能な状態を実現させている。したがって、ＦＡＴファイルシステムを使用している既存のメモリースティックに、ＦＡＴファイルシステムとは互換性のないデータ形式で試験問題を格納することができる。これにより、既存のメモリースティックが持つＦＡＴファイルシステム機能を保持しつつ、試験問題という秘匿性の高いデータをメモリースティックに安全に格納することができる。
【００５８】
また、ＦＡＴファイルシステムによって再生されるデータが、専用データ領域３１中のデータの配列を変更したデータであるので、専用データ領域３１以外にデータを格納する領域を追加することなく、ＦＡＴファイルシステムによって再生されるデータを、専用ファイルシステムによって再生されるデータとは異なるデータとすることができる。
【００５９】
さらに、このメモリースティック１では、図２に示したように、フラッシュメモリー４２のシステム領域２０内に、専用ファイルシステム管理領域３２へのアクセス方法を示す専用ファイル用領域２２が設けられている。
【００６０】
したがって、ＦＡＴファイルシステムによってメモリースティック１のフラッシュメモリー４２のデータ領域３０から再生したデータを別のメモリースティックに不正に複製し、その別のメモリースティックからプレーヤー１１で試験問題を再生しようとした場合、専用ファイル用領域２２が含まれていないので、専用ファイルシステム管理領域３２にアクセスできず、その結果専用データ領域３１にアクセスして試験問題を再生することができない。したがって、メモリースティック１の不正な複製を防止することができるので、その点でも試験問題を安全に格納することができる。
【００６１】
なお、以上の例において、試験問題の音声データを、暗号化処理を施した上でフラッシュメモリー４２の専用データ領域３１に格納することがさらに好適である。それにより、試験問題をより安全に格納することができるようになる。
【００６２】
また、以上の例では、ＦＡＴファイルシステム用の管理領域３３〜３６中の情報に基づき、専用ファイルシステム管理領域３２中の情報に基づいて専用データ領域３１から再生されるデータの配列を変更したデータが再生されるようにしている。しかし、それ以外の態様で、ＦＡＴファイルシステム用の管理領域３３〜３６中の情報に基づいて再生されるデータと、専用ファイルシステム管理領域３２中の情報に基づいて専用データ領域３１から再生されるデータとを異ならせる（例えば、ＦＡＴファイルシステム用の管理領域３３〜３６中の情報に基づき、専用データ領域３１以外の領域に格納した別のデータが再生される）ようにしてもよい。
【００６３】
また、以上の例では、試験問題（音声データ）を格納したメモリースティックと、このメモリースティックから試験問題を再生する専用のプレーヤーとに本発明を適用している。しかし、これに限らず、試験問題以外の秘匿性の高いデータ（例えば住所・氏名・メールアドレス・クレジットカード番号等の個人情報）をメモリースティックに格納し、そのデータを専用のプレーヤーで再生（画面表示）するようにしてもよい。
【００６４】
また、以上の例ではメモリースティックに本発明を適用しているが、スマートメディア（商標）やコンパクトフラッシュ（登録商標）といったようなメモリースティック以外のメモリーカードにも本発明を適用してよい。
【図面の簡単な説明】
【００６５】
【図１】本発明を適用したメモリースティックの回路構成例を示すブロック図である。
【図２】本発明を適用したプレーヤーの回路構成例を示すブロック図である。
【図３】図１のメモリースティックのフラッシュメモリーのフォーマットを示す図である。
【図４】図３の専用データ領域及び専用ファイルシステム管理領域の詳細を示す図である。
【図５】図２のプレーヤーのコントローラが実行する処理を示すフローチャートである。
【図６】ＦＡＴファイルシステムによる図１のメモリースティックからのデータの再生処理を示すフローチャートである。
【図７】ＦＡＴファイルシステム用の管理領域を設けなかったとした場合のフラッシュメモリーのフォーマットを示す図である。
【図８】図７のフォーマットの場合のＦＡＴファイルシステムによるデータの再生処理を示すフローチャートである。
【符号の説明】
【００６６】
１  メモリースティック、  １１  プレーヤー、  １２  インタフェースブロック、  １３  バス、  １４  操作部、  １５  コントローラ、  １６  デコーダ、  １７  Ｄ／Ａ変換器、  １８  イヤホン端子、    ２０  システム領域、  ２１  固有情報領域、  ２２  専用ファイル用領域、  ３０  データ領域、  ３１  専用データ領域、  ３２  専用ファイルシステム管理領域、  ３３  ブート領域、  ３４  ＦＡＴ、  ３５  ルートディレクトリ、  ３６  フォルダ、  ４１  コントロールブロック、  ４２  フラッシュメモリー
【図１】
2006059261.tif 000003
【図２】
2006059261.tif 000004
【図３】
2006059261.tif 000005
【図４】
2006059261.tif 000006
【図５】
2006059261.tif 000007
【図６】
2006059261.tif 000008
【図７】
2006059261.tif 000009
【図８】
2006059261.tif 000010